Podtech/llm-jp-corpus-v4-ja_patent huggingface dataset:
(57)【要約】【課題】ＬＤＭＯＳにおいて、ソース、ドレイン間の耐圧を向上するにはＮ−層の横幅を広げ空乏層を伸ばすことで電界を緩和する方法がある。しかしこの方法はＮ−層の横幅を広げるためにチップサイズを大きくする必要があり、チップサイズを広げることなく耐圧を向上することが困難であった。【解決手段】ＬＤＭＯＳにおいて、Ｎ型ドレイン拡散領域のＭＯＳとして動作しない方向の領域に局所的にＰ型拡散層を入れ、ソースドレイン間の耐圧を向上させる。これによって従来のように、Ｎ−層の横幅を広げるためにチップサイズを大きくする必要がなくなり、チップサイズを広げずに、ＬＤＭＯＳのソース、ドレイン間の耐圧を高めることができる。【選択図】図３
2016092032.tif 000002
【特許請求の範囲】
【請求項１】
Ｎ型のドレイン拡散領域においてＭＯＳとして動作しない方向の領域に、局所的にＰ型拡散領域が形成されていることを特徴とするＬＤＭＯＳ。
【請求項２】
前記Ｎ型ドレイン拡散領域に局所的に入れた前記Ｐ型拡散領域の濃度は、
１Ｅ１５atoms/cm3以上、１Ｅ１７atoms/cm3以下
であることを特徴とする請求項１に記載のＬＤＭＯＳ。
【発明の詳細な説明】
【技術分野】
【０００１】
本発明は、チップサイズを広げることなく高耐圧化を実現できる、ＬＤＭＯＳの構造に関する。
【背景技術】
【０００２】
ＬＤＭＯＳにおいて、ソース、ドレイン間の耐圧を向上するにはＮ−層の横幅を広げ空乏層を伸ばすことで電界を緩和する方法がある。しかしこの方法は
横幅を広げるためにチップサイズを大きくする必要があり、チップサイズを広げることなく耐圧を向上することが困難であった。
【先行技術文献】
【特許文献】
【０００３】
【特許文献１】公開特許公報  特開２００９−５９９４９
【発明の概要】
【発明が解決しようとする課題】
【０００４】
先行技術ではＬＤＭＯＳにおいて、オン抵抗を増大せずに高耐圧化が実現可能な構造として、ボディー領域の下方に、ボディー領域と離間して形成された半導体領域を備える構造が記されている。しかしこの構造ではチップサイズを拡げることなく耐厚を向上することが困難であった。
【課題を解決するための手段】
【０００５】
ＬＤＭＯＳにおいて、Ｎ型の高濃度ドレイン拡散層において、ＭＯＳとして動作しない方向の横側に局所的にＰ型拡散層を入れ、ソースドレイン間の耐圧を向上させる。
【発明の効果】
【０００６】
本発明によれば、チップサイズを広げることなく、ソースドレイン間の耐圧を向上することができる。
【図面の簡単な説明】
【０００７】
【図１】チップの断面方向を示す図である。
【図２】従来構造のＬＤＭＯＳの断面である。
【図３】本発明のＬＤＭＯＳの断面である。
【図４】本発明のＬＤＭＯＳの空乏層の伸びと最大電界強度（Ｅｍａｘ）の関係である。
【発明を実施するための形態】
【０００８】
以下、本発明の実施の形態となる構造について説明する。
【実施例１】
【０００９】
図３は実施例１に係るＬＤＭＯＳの断面図である。上の図はチップのＸ方向、下の図はチップのＹ方向の断面図であり、Ｙ方向はＭＯＳとして動作させない領域である。本発明の構造では、ＭＯＳとして動作させないＹ方向のＮ型ドレイン領域７の中に局所的にＰ型拡散領域９を入れた構造になっており、このＰ型拡散領域９によって空乏層の電界の集中が緩和され、チップサイズを広げないでソース、ドレイン間の耐圧を向上することができる。Ｘ方向で決まる、ドレイン、ソース間の耐圧ＢＶＤＳＳに対し、Ｙ方向のＢＶＤＳＳが低いと、デバイス全体のＢＶＤＳＳが低くなる。このことを防ぐためにＸ方向のＢＶＤＳＳよりＹ方向のＢＶＤＳＳを高くなることを担保する構造が必要であり、そのための構造が本発明の構造である。
【００１０】
Ｎ型ドレイン領域７の中に局所的に入れたＰ型拡散領域９の濃度は、１Ｅ１５atoms/cm3以上、１Ｅ１７atoms/cm3以下であることが望ましい。また、Ｐ型拡散領域９は図３では一箇所のみで記しているが、Ｎ型ドレイン領域７の中に複数個のＰ型拡散領域９が存在しても良い。またＮ型ドレイン領域７の濃度はＰ型拡散領域９の濃度より低く、Ｐ型拡散領域９の濃度/Ｎ型ドレイン領域７の濃度の値は、２０以下２．５以上の範囲で設定するのが好ましい。
【００１１】
図４は実施例１に係る、ＬＤＭＯＳの電気特性である。チップＹ方向においては、横軸を空乏層の伸び、縦軸をＥmax（最大電界強度）とした場合において、発明構造のほうが従来構造よりグラフの面積が広くなっていることがわかる。グラフの面積は耐圧の高さと比例しており、Ｎ型ドレイン領域７にＰ型拡散領域９を導入することでソースドレイン間の耐圧が高くできることがわかる。
【符号の説明】
【００１２】
１、ソース電極
２、ゲート電極
３、ドレイン電極
４、Ｎ型ソース領域
５、Ｐ型ボディー領域
６、Ｎ＋型ドレイン領域
７、Ｎ型ドレイン領域
８、ゲート酸化膜
９、Ｐ型拡散領域
【図１】
2016092032.tif 000003
【図２】
2016092032.tif 000004
【図３】
2016092032.tif 000005
【図４】
2016092032.tif 000006
(57)【要約】【課題】解決しようとする問題点は、デザイン性の向上した祝儀、不祝儀袋に本来の用途以外の使用法がなく、使い捨てられていた点である。【解決手段】本発明は、祝儀、不祝儀袋と香る素材（香り袋、匂い袋、サシェ、虫よけ）を組み合わせていることを最も主要な特徴とする。  本発明は、祝儀、不祝儀袋内にあらかじめ香のする素材を挿入しておき、金銭授受後に香り袋（匂い袋、サシェ、虫よけ）としての祝儀、不祝儀袋の再利用を容易にし、促すものである。本発明の祝儀、不祝儀袋は本来の用途で使用された後も、受領者において祝儀、不祝儀袋を香り袋（匂い袋、サシェ、虫よけ）として再利用することが容易で、近年のデザイン性の向上した祝儀、不祝儀袋の特徴を生かした新しい再利用方法を提示するという効果がある。【特許請求の範囲】
【請求項１】
祝儀、不祝儀袋と香る素材（香り袋、匂い袋、サシェ、虫よけ）が組み合わせられている点を最も主要な特徴とする祝儀、不祝儀袋。
【発明の詳細な説明】
【技術分野】
【０００１】  本発明は、本来の用途として使用した後も別用途で使用可能な祝儀、不祝儀袋に関するものである。
【背景技術】
【０００２】  祝儀、不祝儀袋は本来金銭を授受する際に使用される紙製等の包みであるが、近年そのデザイン性が著しく向上し、またそれに伴い比較的高価な商品もみられるようになった。しかし、デザイン性が向上したにもかかわらず、金銭受領後の再利用方法は見つからなかった。本発明は祝儀、不祝儀袋の再利用方法の一案を提示するものである。
【発明の概要】
【発明が解決しようとする課題】
【０００３】  解決しようとする問題点は、デザイン性の向上した祝儀、不祝儀袋に本来の用途以外の使用法がなく、使い捨てられていた点である。
【課題を解決するための手段】
【０００４】  本発明は、祝儀、不祝儀袋と香る素材（香り袋、匂い袋、サシェ、虫よけ）を組み合わせていることを最も主要な特徴とする。
本発明は、祝儀、不祝儀袋内にあらかじめ香をつけた素材を挿入しておき、金銭授受後に香り袋（匂い袋、サシェ、虫よけ）としての祝儀袋の再利用を容易にし、促すものである。
【発明の効果】
【０００５】  本発明の祝儀、不祝儀袋は本来の用途で使用された後も、受領者において祝儀、不祝儀袋を香り袋（匂い袋、サシェ、虫よけ）として再利用することが容易で、近年のデザイン性の向上した祝儀、不祝儀袋の特徴を生かした新しい再利用方法を提示するという効果がある。
【発明を実施するための形態】
【０００６】  祝儀、不祝儀袋内に金銭納付用の封筒のほかに、あらかじめ芳香のする素材をビニール袋などに包み入れておき、祝儀、不祝儀袋本来の用途に使用するものと芳香素材をセットで販売する。
【実施例１】
【０００７】  祝儀袋内に金銭納付用の封筒のほかに、あらかじめ芳香を付けた素材をビニール袋などに包み入れておく。また、香り袋として使用可能とするために、祝儀袋の裏側の折り返しの部分を留める大き目のシールも同封しておく。祝儀袋の香り袋としての再利用を促す旨の文面を添えて、全てセットで販売する。
(57)【要約】 【課題】ウインドウを開けたまま気がつかないで自動車を離れた場合、時には盗難にあったり、また、雨天時には雨が車内に流入することがある。自動車のウインドウが開閉していることの確認は、運転者が直接目視するしかなかった。【解決手段】ウインドウにセンサーあるいはスイッチを設置し、ウインドウを開けた状態になると、メーターパネル内のそれぞれのウインドウに該当する箇所の警告灯が点灯する。また、ウインドウを開けたままで、ドアーを開けると警告ブザーが鳴ることで、それを運転者に確実に知らせることができる。    【選択図】図１
2016052851.tif 000002
【特許請求の範囲】
【請求項１】
自動車のウインドウの開閉を運転者に知らせることを特徴とする装置。
【請求項２】
自動車のウインドウを開けたままドアーを開けると警告ブザーを発生することを特徴とする請求事項１の装置。
【発明の詳細な説明】
【技術分野】
【０００１】
本発明は、自動車のウインドウが開いた時に運転席のメーターパネル内の警告灯が点灯し、また、ウインドウを閉め忘れたままドアーを開けると一定時間ブザーが鳴り、運転者に知らせることができる装置に関するもの。
【背景技術】
【０００２】
従来、ドアーロックをして自動車を離れた時、うっかりウインドウを閉め忘れていることに気がつかないでいると、時には車内の盗難にあったり、また、雨天時には車内へ雨が流入することがある。
【先行技術文献】
【特許文献】
【０００３】
なし
【非特許文献】
【０００４】
なし
【発明の概要】
【発明が解決しようとする課題】
【０００５】
自動車のウインドウの開閉状態を運転者が直接目視して確認する従来の方法では、それを忘れた時には、盗難にあったり、雨天時に車内へ雨の流入を防止することができなかった。そのウインドウの閉め忘れを知らせることのできるものを提供することを課題とする。
【課題を解決するための手段】
【０００６】
以上の課題を解決するために、第一発明は、ウインドウの開閉状態を運転席のメーターパネル内の警告灯が点灯して知らせること、また、ウインドウを開けたままドアーを開けると一定時間警告ブザーが鳴り、運転者に知らせることができることを目的とするものである。
【発明の効果】
【０００７】
本発明の装置は、ウインドウを開けたまま自動車を離れた際の盗難防止や、雨天時に車内へ雨の流入を防止することができる利点がある。
【図面の簡単な説明】
【０００８】
【図１】図１はこの装置の実施方法を示した模式図である。
【発明を実施するための形態】
【０００９】
この発明の一実施形態を、図１に示す。自動車ウインドウ１が開くと、メーターパネル２内の警告灯３がそれぞれのウインドウに応じて点灯する。
【実施例】
【００１０】
図１の実施形態は、自動車のウインドウが開くと、メーターパネル内の警告灯が点灯するが、ウインドウを開けたままドアーを開けた場合は、それに加えて警告ブザーが鳴る。
【符号の説明】
【００１１】
１   自動車ウインドウ  
２   メーターパネル
３   警告灯    
【図１】
2016052851.tif 000003
(57)【要約】      （修正有）【課題】下半身を重点的に温めることができ、部屋自体が寒くてもこれを使用することによって、立ち仕事あるいは椅子や床に座ってでも事務処理や勉強ができる一人用の省エネ型暖房器具を提供する。【解決手段】ヒーターあるいはファンヒーターによって温められた空気が、下から上に拡散していく性質を利用して効率的にかつ、足元の行動の自由を制限することなくポリプロピレン等の熱に強い素材で前面および両側を膝上までガードすることで保温効果を上げることができる。【選択図】図１
2016052443.tif 000002
【特許請求の範囲】
【請求項１】
温風を下半身あたりに滞らせ、暖房効果を高めるための可動式の風防が前面と側面に取り付けられている。このことによって立ったままでも椅子に座ったままでも床に寝そべったままでも下半身を温めることができる。
【発明の詳細な説明】
【技術分野】
【０００１】
本発明は立っている時や椅子に座っているとき、または床に横になっている時でも足元から腰にかけて温めてくれる暖房機器に関するものである。          
【背景技術】
【０００２】
今日、暖房器具として、エアコンや石油ストーブ、電気ファンヒーター等、様々な商品が市販され使われているが、足元だけあるいは下半身を重点的に温める器具は伝統的なこたつ以外あまりないように思える。
【先行技術文献】
【特許文献】
【０００３】
両足が入るような箱型の中の下に電器あんかをおいて、その中に両足を入れて足首あたりを毛布で覆うような暖房器具が発案され市販されていたが、見た感じがあまり良くなく足元が湿気やすく、自由に足を動かすことができない。
【発明の概要】
【発明が解決しようとする課題】
【０００４】
そこで、持ち運びやすく、足先から腰ぐらいまで重点的に速く温まり、足炬燵のように汚れやすい布類を使わない材質を使用すべきである。そして、両足が比較的自由に動き回れることが重要である。
【課題を解決するための手段】
【０００５】
そのため自動車の車内用暖房設備のように、椅子に座った状態で、足先の上にセラミックファンヒーターがくるように内蔵して足の周りを囲むようにして膝の高さぐらいまで、２ミリくらいの厚みのあるガード板（材質ポリプロピレン）を風防のように前面部と側面部に取り付ける。
【発明の効果】
【０００６】
材質がポリプロピレンで高さが膝ぐらいしかなので、比較的軽く持ち運びやすく、机の下に置けるので、机で作業しながら使える。前面と横から脚が見えにくくなるのでセクハラ問題にもなりにくい。また、床にかぶせるように置けるので、一人こたつ用として使うこともできる。
【図面の簡単な説明】
【０００７】
【図１】足温用ファンヒーターの全体としての斜視図
【図２】足温用ファンヒーターを３つに分解したときの斜視図
【発明を実施するための形態】
【０００８】
図１が足温用ファンヒーターの全体図で本体から発生した暖かい空気を逃さないように風防が取り付けられており、角度が自由に設定できるように可動式になっている。
また、下から吹きつける温風が顔面にあたらないように遮へい板がついている。
【実施例】
【０００９】
家庭用の電源を使用し低電力で内蔵のセラミックファンヒーターから温風が足先上から出るようになっており、脚を通って膝ぐらいまで暖かい空気がたまる仕組みになっている。また、遮へい板をはずし、本体を床にかぶせるように横に置くと一人用のこたつとして使用することができる。
【産業上の利用可能性】
【００１０】
勉強机や事務所用の机の下に設置して勉強や事務仕事をしながら足元の暖房器具として使える。そして、一人用のこたつとして風防を机代わりあるいは、テーブル代わりとしても使用できる。あるいはペット用（小型犬や猫）としての暖房寝具に使うことも可能である。
【符号の説明】
【００１１】
１  足温用ファンヒーター本体
２  風防    
３  取手      
４  遮へい板          
【図１】
2016052443.tif 000003
【図２】
2016052443.tif 000004
(57)【要約】      （修正有）【課題】お墓の花生けの中に入れて花が抜け落ちない様に押さえて固定する花生けを提供する。【解決手段】花生けに花を入れた後にセット完了した本体を入れて、上部のはしを押さえて上へ引き上げると下部が広がり、花を押さえた所で止めて固定し抜けない様にする。【選択図】図７
2016052487.tif 000002
【特許請求の範囲】
【請求項１】
この製品はお墓の花生けの中に入れて花が抜け落ちない様に押さえて固定する為に使用するものです。
【発明の詳細な説明】
【技術分野】
【０００１】本製品は図２と図３とに分かれていて図３を上から中へ入れていき図５、全部は入ったら図６右へ９０度廻す事によって下のツメが図２の下部にかかりセット完了図６（参照）、はずす時は図３の部分を少し下へ下げて左右どちらかへ９０度廻して上へ引きあげる。
【使用方法】
【０００２】花生けに花を入れた後にセット完了した本体を入れて図２の上部のはしを押さえて図３を上へ引き上げると図７の様に下部が広がり花を押さえた所で止めて固定し抜けない様にする。
【図面の簡単な説明】
【０００３】
【図１】図２と図３をセットした図面
【図２】外枠（外筒）の図面
【図３】中筒の図面
【図４】中筒の図面
【図５】図３を図２に上から入れる図面
【図６】図２と図３をセットし右へ廻す図面
【図７】図３を上へ引き上げた図面
【図８】花いけに入れた図面
【図１】
2016052487.tif 000003
【図２】
2016052487.tif 000004
【図３】
2016052487.tif 000005
【図４】
2016052487.tif 000006
【図５】
2016052487.tif 000007
【図６】
2016052487.tif 000008
【図７】
2016052487.tif 000009
【図８】
2016052487.tif 000010
(57)【要約】      （修正有）【課題】瓶内を洗浄するとき、瓶の大小や形状に関係なく内面全体の汚れを容易な操作で除去できる瓶洗浄用ブラシを提供する。【解決手段】クサリ１の両端に、ブラシ４より比重が重い弾性体２、３を装着し、該一端とブラシ４の一端と連結し、瓶内に極少量の水又は洗剤液と共に、ブラシ４もクサリ１も、全体を投入し、瓶の開口部を塞ぎ、瓶を振り動かせて、クサリ１とブラシ４を内部で転動させ、全内面に接触させ擦り汚れを除去する。【選択図】図１
2016052490.tif 000002
【特許請求の範囲】
【請求項１】
クサリの両端に弾性体を装着し、該一端をブラシの一端に連結し、全体を瓶の中に投入して全内面に接触させ汚れを除去することを特徴とする瓶洗浄用ブラシ。
【発明の詳細な説明】
【技術分野】
【０００１】  本発明は、瓶内面の汚れを除去するために使用する瓶洗浄用ブラシに関するものである。
【背景技術】
【０００２】  従来、瓶内面を洗浄するときのブラシは、殆ど棒状の直線形である。そのため、瓶の開口径が小さく内径が大きい場合は、内面にブラシが接触不可能な部分があり、全面の汚れを除去するために洗剤や砕いた卵殻をいれて振ったり苦心していた。
【発明の開示】
【発明が解決しようとする課題】
【０００３】    そのために、次のような問題点があった。
一般に利用されている瓶の形状は多種あり、徳利のように開口部が小さく内部が広い形状の場合は、直線形では内面にブラシが接触可能な部分は限られる。再使用したいときは水と砕いた卵殻や洗剤などを入れて瓶を強く振り内面に当たる衝撃で洗浄するが、汚れの種類によっては完全に除去できず、再使用不能になり廃棄せざるを得ない場合もあった。
【課題を解決するための手段】
【０００４】クサリの両端に弾性体を装着し、該一端をブラシの一端と連結する。そして、瓶内に全体を投入し内部で転動させ全内面に接触させるのを特徴とする瓶洗浄用ブラシである。
【発明の効果】
【０００５】  本発明は、ブラシは屈曲自在なクサリと連結しているため、瓶内で自在に移動し全内面に接触できるため、酒徳利、又は一升瓶など大小や形状に関係なく、容易な操作で全面の汚れ除去し洗浄できる。
【発明を実施するための最良の形態】
【０００６】  以下、本発明の実施の形態を説明する。
（イ）クサリ（１）の両端に弾性体（２）（３）を装着し、該一端とブラシ（４）の一端と連結する。
（ロ）弾性体（２）と（３）は夫々ブラシ（４）より比重が重い。
本発明は、以上の構成で成っている。
本発明を使用するときは、洗浄する瓶（５）内に極少量の水又は洗剤液と共に、ブラシ（４）もクサリ（１）も全部入れ、瓶の開口部を塞ぎ瓶を振り動かす、クサリ（１）とブラシ（４）は内部で自在に転動し、ブラシ（４）は全内面に接触し擦り付着した汚れを除去する。その時、クサリ（１）に装着した弾性体（２）（３）はブラシ（４）より比重が重くブラシ（４）が水中で浮遊するのを防ぎ内面に強く接触し擦り汚れを除去する。そして、汚れの除去が終了すれば瓶の開口部を下方に向け軽く振れば排水と共にクサリ（４）の先端に装着した弾性体（３）は先ず排出され、ブラシ（４）を容易に引出せる。
【図面の簡単な説明】
【０００７】
【図１】本発明の正面図
【図２】本発明のクサリに装着した弾性体の斜視図面図
【図３】本発明の使用図
【符号の説明】
【０００８】１．クサリ
２．弾性体
３．弾性体
４・ブラシ
５．瓶
【図１】
2016052490.tif 000003
【図２】
2016052490.tif 000004
【図３】
2016052490.tif 000005
(57)【要約】      （修正有）【課題】赤ちゃんや犬用のジェットバスお風呂を提供する。【解決手段】赤ちゃん用お風呂１に円の穴をあけた所に防水型ジェットバス本体３を外がわに取り付け、防水型パッキン２をはさみこみ、フンシャ出口４を内側に取り付けるジェットバス付赤ちゃん用お風呂。【選択図】図１
2016052494.tif 000002
【特許請求の範囲】
【請求項１】
赤ちゃん用お風呂（１）に円の穴をあけ防水型パッキン（２）を設け防水型ジェットバス本体を取付フンシャ出口（４）を取付したジェットバス付赤ちゃん用お風呂。
【発明の詳細な説明】
【技術分野】
【０００１】この発明は、赤ちゃん用お風呂に防水型のジェットバス機を取り付けた露出型の赤ちゃん用お風呂に関するものである。
【背景技術】
【０００２】従来、露出型のお風呂と防水型のジェトバス機は別々になっていた。
【先行技術文献】
【特許文献】
【０００３】
【特許文献１】特開００００−００００００号公報
【発明の概要】
【発明が解決しようとする課題】
【０００４】これは次のような欠点があった。
従来赤ちゃんはお風呂嫌いが多い
本発明は、以上のような欠点をなくすためになされたものである。
【課題を解決するための手段】
【０００５】赤ちゃん用お風呂（１）  防水型パッキン（２）  防水型ジェットバス本体（３）  フンシャ出口（４）
本発明は、以上の構成よりなるジェットバス
2016052494.tif 000003
【発明の効果】
【０００６】お風呂とジェトバスが一体になっているので楽しい。長風呂もでき夜もぐっすり
【図面の簡単な説明】
【０００７】
【図１】本発明の斜視図である。
【発明を実施するための形態】
【０００８】以下本発明を実施するための形態について説明する。
赤ちゃん用お風呂（１）の側面一部に、円で穴をあけ、パッキン（防水型）（２）を設ける。
2016052494.tif 000004
取付パッキン（２）ではさみこみフンシャ出口（４）を内側に取付する。
本発明は、以上のような構造である。
これを使用するときは、いやされたらいい。
【符号の説明】
【０００９】１  赤ちゃん用お風呂            ２  パッキン
３  防水型ジェットバス本体      ４  フンシャ出口
【図１】
2016052494.tif 000005
(57)【要約】【課題】清掃が必要な歯間部には、歯と歯の接する接触面と、歯と歯肉の間にある三角の隙間である下部鼓形空隙の二つがある。デンタルフロスでは、接触面はよく清掃できるが細すぎるため広い鼓形空隙は清掃効率が悪い。歯間ブラシでは、接触面の清掃はできず、歯肉を傷つけてしまうことも多く、また使用には技術と慣れが必要であった。  本発明は以上の清掃器具を提供する。【解決手段】把持部の先端に糸張り部を設け、糸状のフロスを張り、フロスにスポンジ状の清掃部を固着させる。【選択図】図１
2016052491.tif 000002
【特許請求の範囲】
【請求項１】
把持部の先端に糸張り部を設け、糸状のフロスを張り、フロスにスポンジ状の清掃部を固着した歯間清掃器具。
【発明の詳細な説明】
【技術分野】
【０００１】  本発明は、歯間清掃具に関するものである。
【背景技術】
【０００２】  従来、通常の歯ブラシのみでは歯の間の細部まで清掃することが困難であり、デンタルフロスや歯間ブラシなどの補助的な清掃用具を併用することが推奨されている。
【先行技術文献】
【特許文献】
【０００３】
【特許文献１】特開２０１３−１５０７０９号公報
【発明の概要】
【発明が解決しようとする課題】
【０００４】  清掃が必要な歯間部には、歯と歯の接する接触面と、歯と歯肉の間にある三角の隙間である下部鼓形空隙の二つがある。デンタルフロスでは、接触面はよく清掃できるが細すぎるため広い鼓形空隙は清掃効率が悪い。歯間ブラシでは、接触面の清掃はできず、また使用には技術と慣れが必要であった。また特許文献１のようなブラシを使用したものは、清掃効率はよいが歯肉を傷つけやすいことがしばしば問題となっている。
本発明は以上の問題点を解決するためになされたものである。
【課題を解決するための手段】
【０００５】  把持部の先端に糸張り部を設け、糸状のフロスを張り、フロスにスポンジ状の清掃部を固着させる。
以上の構成よりなる歯間清掃具。
【発明の効果】
【０００６】  従来の器具で困難であった、隣接面、鼓形空隙の清掃を１本で可能にし、操作性にも優れている。やわらかいスポンジ状の部位で清掃するため歯肉を傷つけにくく、形、大きさが変化するため、さまざまな形態の鼓形空隙の清掃を効率よく行うことができる。
【図面の簡単な説明】
【０００７】
【図１】本発明の側面図
【発明を実地するための形態】
【０００８】  以下。本発明の実地の形態を説明する。
（イ）プラスチック製の真っ直ぐな把持部（４）の端にアーチ状の糸張り部（１）を設ける。
（ロ）糸張部（１）の両端に糸状のフロス部（２）を固定する。
（ハ）フロス部（２）の約半分の部位にスポンジ状の清掃部（３）を固着する。
（ニ）清掃部（３）は鼓形空隙と類似した三角形である。
本発明は以上のような構造である。
本発明を使用するときは、把持部（４）を手で持った状態でフロス部（２）、清掃部（３）を口腔内に挿入する。フロス部（２）を歯間に挿入し、上下にスライドし接触面を清掃する。歯肉に接触した鼓形空隙にフロス部（２）が入った段階で清掃部（３）を前後にスライドさせ鼓形空隙を清掃する。その後、フロス部（２）を歯の間の接触部に通過させ、器具を口腔外に取り出す。
【符号の説明】
【０００９】  １  糸張り部、２  フロス部、３  清掃部、４  把持部
【図１】
2016052491.tif 000003
(57)【要約】【課題】従来の付箋紙は、ミシン目よりシートを切り離すことで、通常の付箋紙として、また、見開きにしても分離しないメモ用紙としての利用で、ファイリングとしての利用は不可能だった。また、複数枚の付箋シートを、リングファイルに綴じてノートブックとして利用するものであり、且つ再剥離性粘着剤を介して付箋シートが束ねられているので、見開き状態にすると分離する可能性があり、付箋紙のみで紙片等のファイリングは不可能だった。  本発明は、ファイリング機能を備えた付箋紙を提供する。【解決手段】複数枚からなる付箋紙、その付箋シートの一端部領域に感圧性接着層を設け、その中央に貫通孔を設ける。付箋シートメモ部裏面に再剥離性粘着剤を設ける。感圧性接着層と再剥離性接着剤使用の境目に切り離しのミシン目を設けたことを特徴とする付箋紙クリップ。【選択図】図１
2016052771.tif 000002
【特許請求の範囲】
【請求項１】
複数枚からなる付箋紙、その付箋シートの一端部領域に感圧性接着層を設け、その中央に貫通孔を設け、付箋シートメモ部裏面に再剥離性粘着剤を設け、感圧性接着層と再剥離性接着剤使用の境目に切り離しのミシン目を設けた付箋紙クリップ。
【発明の詳細な説明】
【技術分野】
【０００１】  本発明は、事務用付箋紙をファイリグとしても利用可能な付箋紙クリップに関するものである。
【背景技術】
【０００２】  従来の付箋紙は、感圧性接着層を除いたシート領域を切り離し、通常の付箋紙として、またメモ用紙として利用しているもの（特許文献１）や、付箋シートをファイリングによって集積し、ノートブックとして利用可能なもの（特許文献２）が知られている。
【先行技術文献】
【特許文献】
【０００３】
【特許文献１】  特開２０００−２１８９６１号公報
【特許文献２】  特開２００７−２８３５１８号公報
【発明の概要】
【発明が解決しようとする課題】
【０００４】  従来の付箋紙は、ミシン目よりシートを切り離すことで、通常の付箋紙として、また、見開きにしても分離しないメモ用紙として利用されていたにすぎず、ファイリングとして利用することについては何ら考慮されていなかった。（特許文献１）。
また、複数枚の付箋シートを、リングファイルに綴じてノートブックとして利用するものであり、且つ再剥離性粘着剤を介して付箋シートが束ねられているので、見開き状態にすると分離する可能性があり、リングファイル等を使用せず、付箋紙のみで紙片等をファイリングすることは不可能だった（特許文献２）。
本発明は、以上のような問題点を解決するためになされたものである。
【課題を解決するための手段】
【０００５】  複数枚からなる付箋紙、その付箋シートの一端部領域に感圧性接着層を設け、その中央に貫通孔を設ける。付箋シートメモ部裏面に再剥離性粘着剤を設ける。感圧性接着層と再剥離性接着剤使用の境目に切り離しのミシン目を設ける。
以上の構成よりなる付箋紙クリップ。
【発明の効果】
【０００６】  本発明は、付箋紙を見開きにしても分離することなく、従来のメモ、目印としての用途に加え、文書紙片、メモ用紙なども容易にファイリングすることができる。
【図面の簡単な説明】
【０００７】
【図１】本発明の正面図
【図２】本発明の斜視図
【図３】本発明の使用状態を示す斜視図
【図４】本発明の使用状態を示す斜視図
【発明を実施するための形態】
【０００８】  以下、本発明の実施の形態を説明する。
（イ）複数枚からなる付箋紙（１）、その付箋シート（２）に感圧性接着層を一端部（３      ）領域に設け、その中央に貫通孔（４）を設ける。
（ロ）各付箋シート（２）のつまみ部（６）箇所を除いたメモ部（５）裏面糊代部（７）      に再剥離性接着剤を設ける。
（ハ）感圧性接着層を用いた一端部（３）領域の内縁（３Ａ）より内側にミシン目（８）      を設ける。
本発明は以上のような構造である。
本発明を使用するときは、複数枚からなる付箋紙（１）、その各付箋シート（２）メモ部（５）裏面に再剥離性粘着剤が塗布されていないつまみ部（６）をめくり、メモ部（５）裏面の再剥離性粘着剤が塗布されている糊代部（７）にメモ、紙片等（９）を貼り付けてファイリングする。複数枚からなる付箋紙（１）、その各付箋シート（２）一枚ずつにメモ、紙片等（９）を貼り付けるので複数枚のファイリングが可能となり、再剥離性粘着剤を介してメモ、紙片等（９）を貼り付けてあるので、貼着及び剥離が容易である。また、感圧性接着層を一端部（３）領域に設け、付箋シート（２）を綴じているため、付箋紙（１）が分離しないよう保たれる。感圧性接着層を用いた一端部（３）領域の内縁（３Ａ）より内側にミシン目（８）が設けてあり、このミシン目（８）からメモ部（５）を切り離し、従来の付箋紙同様、メモ、目印としても使用できる。この感圧性接着層を用いた一端部（３）領域の中央には貫通孔（４）が設けてあり、フックなどに掛けても利用できる。
【符号の説明】
【０００９】  １付箋紙、２付箋シート、３感圧性接着層部、３Ａ内縁、４貫通孔、５メモ部、６つまみ部、７再剥離性粘着剤糊代部、８ミシン目、９メモ、紙片、１０フック
【図１】
2016052771.tif 000003
【図２】
2016052771.tif 000004
【図３】
2016052771.tif 000005
【図４】
2016052771.tif 000006
(57)【要約】【課題】従来のステッカー剥がしは金属のベースにゴムや布製などのパッドを装着し剥がしたい対象物に押し当てる。作業工程は今までと同じですがゴムパッドが高価な物でコストがかかる。【解決手段】ゴムパッドの代用品でマスキングテープを本体（ベース）に押し込んでセットする。ベースはマスキングテープの内径より少し大きめのサイズになっていてテープが外れにくくなっている。マスキングテープを使うことで経費の削減ができる。【選択図】図１
2016052713.tif 000002
【特許請求の範囲】
【請求項１】
ドリルの先端に装着しステッカーや両面テープの残り糊を剥がす為の中間工具。
【請求項２】
ドリルの先端に取り付けし市販されているマスキングテープをはめ込み剥がしたい部分に押し当てる
【発明の詳細な説明】
【技術分野】
【０００１】本発明はコストダウンを図ったステッカー剥がし工具。
【背景技術】
【０００２】従来はゴム製や布製のパッドを装着し剥がしたい部分に押し当てる交換用ゴムパッドを使用せずにマスキングテープをセットして使う【０００３】２パターンのドリルに装着できる様に中心の鉄部は６角形になっている。
テープ取り付け部分の先にプラスチック製のベースがある、これは交換作業をスムーズに行うことができる
【先行技術文献】
【特許文献】
【０００４】
【特許文献１】
【特許文献２】
【非特許文献】
【０００５】
【非特許文献１】
【非特許文献２】
【発明の概要】
【発明が解決しようとする課題】
【０００６】従来のステッカー剥がしは交換部品のコストがかかりステッカーや両面テープの削りかすが飛び散る
【課題を解決するための手段】
【０００７】本発明は上記に記載した１番の目的である経費を抑えることができる
【発明の効果】
【０００８】本発明はマスキングテープを使うことで削りゴミがマスキングテープの糊に絡み合って飛び散りにくく何よりも消耗品である交換パッドが低予算におさえる
【図面の簡単な説明】
【０００９】
【図１】マスキングテープ取り付け部分
【図２】ドリル側取り付け部分
【発明を実施するための形態】
【００１０】以下、本発明の実施の形態を図１〜図２に基づいて説明する
【実施例】
【００１１】本製品を図２ドリルに差し込んでセットする。図１にマスキングテープを押し込む
【産業上の利用可能性】
【・・・・】
【符号の説明】
【・・・・】
【受託番号】
【・・・・】
【図１】
2016052713.tif 000003
【図２】
2016052713.tif 000004
(57)【要約】【課題】この考案の課題は、熟練した技術が要することなく、簡易に、ＬＥＤチップと放熱器間に熱抵抗を少なくし、製品の品質が安定する，ＬＥＤ照明機器におけるＬＥＤチップの実装方法を開発・提供するものである。【解決手段】ＬＥＤ照明機器において、放熱器（１）の表面に、配線パターン（２）を成型し、該配線パターン（２）に、直接、ＬＥＤチップ（３）を実装することを特徴とするＬＥＤ照明機器におけるＬＥＤチップの実装方法構成されるものである。【選択図】  図２
2016001523.tif 000002
【特許請求の範囲】
【請求項１】
ＬＥＤ照明機器において、
放熱器（１）の表面に、配線パターン（２）を成型し、
該配線パターン（２）に、直接、ＬＥＤチップ（３）を実装することを特徴とする
ＬＥＤ照明機器におけるＬＥＤチップの実装方法。
【発明の詳細な説明】
【技術分野】
【０００１】
この発明は、ＬＥＤ照明機器におけるＬＥＤチップの実装方法に関するものである。
【背景技術】
【０００２】
従来、ＬＥＤは、発熱が少なく発光効率がよいので、省エネには最適である。しかし、入力された電力の大部分が熱になってＬＥＤ自身を加熱してしまい、その加熱温度が限界を越すと熱破壊が生ずるものであった。
【０００３】
その原因は、大きな放熱器を使用してもＬＥＤモジュールの発生する熱を放熱器に伝えることが困難であり、該ＬＥＤモジュールがオーバーヒートすることにある。
【０００４】
そもそも、従来のＬＥＤチップを用いたＬＥＤモジュールの構造は、１〜５ｍｍの金属板（通常は銅板）の表面を絶縁被覆して、その上に配線パターンを焼き付けし、ＬＥＤチップを該配線パターンに溶着し、これらの上からシリコーン材で覆って一体に形成している。
【０００５】
発生する熱は、１〜５ｍｍの銅板に導熱グリースを介して放熱器に接触させて、放熱器に伝熱させることにより放熱器から空中に逃がしてＬＥＤの温度を下げるよう構成しているが、熱が伝わりにくいので、大光量のＬＥＤ照明機器の製作が困難であった。
【０００６】
また、単光源を要求される場合には、巨大な放熱器にＬＥＤモジュールを取り付けているが、ＬＥＤチップの加熱による故障が多発している。
【０００７】
そして、ＬＥＤ照明機器は、広い面積を有する放熱器に小さなＬＥＤチップを植え付けて、広範囲に熱を逃がすよう構成されている。
【０００８】
そもそも、ＬＥＤモジュールと放熱器との接触面が完全な平滑状態であれば、熱がうまく伝わり放熱できるものである。しかしながら、現実の接触面は顕微鏡等で観察すると双方とも表面がギザギザ状態であり、従って、ＬＥＤモジュールと放熱器の接触面とに隙間が生じてており、この隙間部に空気が入ると熱伝導が悪くなり、そのため隙間部にシリコーングリースを充填している。
【０００９】
しかし、シリコーングリースの導電効率は金属に比べると極度に悪くて、熱が伝わり難いものであり、その上、経年変化したシリコーングリースでは内容物が蒸発し、時間とともに熱伝導特性がさらに悪くなる。
【００１０】
その原因も、この発生した熱を空気中に逃してＬＥＤ温度を下げることが困難のため、大光量のＬＥＤ照明機器は製造が極めて困難であった。従って、大光量のＬＥＤ照明機器が商品化できないものであった。
【発明の概要】
【発明が解決しようとする課題】
【００１１】
そこで、この発明の課題は、放熱器に、直接ＬＥＤチップを植え付け、熱電導抵抗をゼロとし、ＬＥＤの発生した熱は直接、放熱器に伝導するよう構成したＬＥＤ照明機器におけるＬＥＤチップの実装方法を開発・提供するものである。
【課題を解決するための手段】
【００１２】
そこでこの発明は、上記の課題を解決すべく、鋭意研究を重ねた結果、開発されたものであり、放熱器に直接ＬＥＤチップを実装する，ＬＥＤ照明機器におけるＬＥＤチップの実装方法である。
【発明の効果】
【００１３】
この発明によると、放熱器に直接ＬＥＤチップを埋め込むことにより、組み立てが早く、ＬＥＤチップと放熱器間に熱抵抗も少なくなり、完成した製品の品質が安定する等の優れた効果を奏する。
【００１４】
さらにこの方法によると、部品生産の段階で、放熱器にＬＥＤが実装されるため、その後の組み立ての段階で、シリコーングリースを塗布したり、注意深く両者を組み立てる工程は必要がなく、工程数が減ることにより、安価になる等の効果を奏する。
【図面の簡単な説明】
【００１５】
【図１】この発明の一実施例を示す正面図である。
【図２】この発明の一実施例を示す一部欠截拡大図である。
【図３】従来例を示す説明図である。
【発明を実施するための形態】
【００１６】
以下、この発明について詳細に説明する。尚、この発明においては、以下の記述に限定されるものではなく、この発明の要旨を逸脱しない範囲においては適宜変更可能である。
【実施例】
【００１７】
先ず、この発明の一実施例を図１、図２に基づいて説明すると、ＬＥＤ照明機器において、放熱器（１）の表面に、配線パターン（２）を成型し、該配線パターン（２）に、直接、ＬＥＤチップ（３）を実装することを特徴とするＬＥＤ照明機器におけるＬＥＤチップの実装方法構成されるものである。
【００１８】
尚、放熱器（１）とは、冷却ジャケットのことであり、また、配線パターン（２）とは、基盤パターンともいう。
【００１９】
さらに、ＬＥＤチップ（３）を装着するとの具体的手段とは、ＬＥＤチップ（３）を放熱器（１）の表面に直接埋め込むことである。
【産業上の利用可能性】
【００２０】
この発明のＬＥＤ照明機器におけるＬＥＤチップの実装方法の技術を確立し、実施することにより、産業上利用できるものである。
【符号の説明】
【００２１】
１  放熱器
２  配線パターン
３  ＬＥＤチップ
【図１】
2016001523.tif 000003
【図２】
2016001523.tif 000004
【図３】
2016001523.tif 000005
(57)【要約】【課題】防錆添加剤として亜硝酸ナトリウムを含有するフッ素系グリースを封入した転がり軸受における、トルク変動を抑えて回転安定性を向上させる。【解決手段】基油をフッ素油とし、増ちょう剤をフッ素樹脂とし、かつ、防錆添加剤として亜硝酸ナトリウムをグリース全量の０．５質量％以下の割合で含有するグリース組成物を封入した転がり軸受。【選択図】図１
2016001012.tif 000002
【特許請求の範囲】
【請求項１】
外周面に内輪軌道を有する内輪と、内周面に外輪軌道を有する外輪と、前記内輪軌道と前記外輪軌道との間に転動自在に設けられた複数の転動体と、少なくとも前記内輪の軸方向一端部外周面と、前記外輪の一端部内周面との間に設けられてこれら両周面同士の間を塞ぐ円輪状のシールリングとを備え、
基油をフッ素油とし、増ちょう剤をフッ素樹脂とし、かつ、防錆添加剤として亜硝酸ナトリウムをグリース全量の０．５質量％以下の割合で含有するグリース組成物を封入したことを特徴とする転がり軸受。
【発明の詳細な説明】
【技術分野】
【０００１】
本発明は、オルタネータ等の自動車エンジン補機に組み込まれる転がり軸受に関し、特にそのトルク変動を小さくする技術に関する。
【背景技術】
【０００２】
オルタネータ等の自動車エンジン補機に組み込まれる転がり軸受は、一部の機種では特に高温環境で使用されることから、パーフルオロポリエーテル（ＰＦＰＥ）等のフッ素油を基油とし、ポリテトラフルオロエチレン（ＰＴＦＥ）等のフッ素樹脂を増ちょう剤とするフッ素系グリースを封入して耐熱性を向上させている。
【０００３】
一方で、自動車エンジン補機として使用環境を考慮した時、被水や結露が発生することによる錆の発生を抑制するために、防錆添加剤をグリース中に添加する必要がある。しかし、耐熱性向上のために使用されるフッ素系グリースでは、フッ素油への溶解性や高温使用時の熱安定性、防錆効果等の観点から、ウレア系グリースと比べると、採用できる防錆添加剤の種類が少ない。
【０００４】
従来では、フッ素系グリースに添加可能な防錆添加剤として炭酸カルシウムや亜硝酸ナトリウムが用いられることが多い。例えば特許文献１では、一次粒子径が１００μｍ以下の微細な炭酸カルシウムを添加して防錆性能や耐焼付き性に加えて、トルク安定性の向上を図っている。
【０００５】
また、亜硝酸ナトリウムを添加したフッ素系グリースが市販されているが、亜硝酸ナトリウムは吸湿性が高いため、その添加量が多いと、軸受内部に侵入した水や、結露により発生した水が凝集して回転不良やトルク増大が発生しやすい。
【先行技術文献】
【特許文献】
【０００６】
【特許文献１】特開２００９−１９１１７３号公報
【発明の概要】
【発明が解決しようとする課題】
【０００７】
本発明はこのような状況に鑑みてなされたものであり、防錆添加剤として亜硝酸ナトリウムを含有するフッ素系グリースを封入した転がり軸受において、トルク変動を抑えて回転安定性を向上させることを目的とする。
【課題を解決するための手段】
【０００８】
上記課題を解決するために本発明は、外周面に内輪軌道を有する内輪と、内周面に外輪軌道を有する外輪と、前記内輪軌道と前記外輪軌道との間に転動自在に設けられた複数の転動体と、少なくとも前記内輪の軸方向一端部外周面と、前記外輪の一端部内周面との間に設けられてこれら両周面同士の間を塞ぐ円輪状のシールリングとを備え、基油をフッ素油とし、増ちょう剤をフッ素樹脂とし、かつ、防錆添加剤として亜硝酸ナトリウムをグリース全量の０．５質量％以下の割合で含有するグリース組成物を封入したことを特徴とする転がり軸受を提供する。
【発明の効果】
【０００９】
本発明の転がり軸受では、防錆添加剤である亜硝酸ナトリウムの含有量を最適化したフッ素系グリースを封入したため、防錆性能を確保しつつ、トルクの変動が抑えられて回転安定性にも優れる。
【図面の簡単な説明】
【００１０】
【図１】亜硝酸ナトリウムの含有量と、試験後起動トルクとの関係を示すグラフである。
【発明を実施するための形態】
【００１１】
以下、本発明に関して詳細に説明する。
【００１２】
本発明において転がり軸受の種類には制限はないが、特にオルタネータ等の自動車エンジン補機に組み込まれる転がり軸受のように、高温に晒され、かつ、軸受内部に水が浸入しやすく、結露が発生しやすい環境で使用される転がり軸受に好適である。そして、このような高温で、水分が影響する環境で使用されることから、基油をフッ素油とし、増ちょう剤をフッ素樹脂とし、防錆添加剤として亜硝酸アンモニウムを含有するフッ素系グリースを封入する。
【００１３】
フッ素油の種類は特に限定されるものではなく、従来からフッ素系グリースに使用されているフッ素油を使用できるが、パーフルオロポリエーテル油（ＰＦＰＥ）等のフルオロポリエーテル油が好ましい。フルオロポリエーテル油には直鎖状のものと分岐鎖状のものとがあるが、分岐鎖状のフルオロポリエーテル油が好ましい。また、自動車は低温から高温まで広い温度範囲で使用されるため、基油の４０℃における動粘度は、１０〜４００ｍｍ2 ／ｓであることが好ましく、１５〜２７０ｍｍ2 ／ｓであることがより好ましく、４０〜１８０ｍｍ2 ／ｓであることがさらに好ましい。
【００１４】
フッ素樹脂にも制限はなく、従来からフッ素系グリースに使用されているフッ素樹脂を使用でき、例えば、ポリテトラフルオロエチレン（ＰＴＦＥ）や、テトラフルオロエチレンと、全体または一部がフッ素課された他のエチレン系不飽和炭化水素モノマーとの共重合体等からなる粒子が挙げられる。また、増ちょう剤量は、基油をゲル状に維持できる量であればよい。
【００１５】
防錆添加剤には亜硝酸ナトリウムを用いるが、添加量はグリース全量に対して０．５質量％以下である。添加量が０．５質量％を超えると、軸受に侵入した水分や、結露により発生した水分が凝集してトルク変動を起こす。
【００１６】
グリース組成物には、防錆添加剤の他にも、目的に応じて種々の添加剤を添加することができる。例えば、何れも公知の酸化防止剤や耐摩耗剤、極圧剤等を適宜組み合わせて添加することができる。尚、添加量は、グリース全量の１５質量％以下とすることが好ましい。
【実施例】
【００１７】
以下に実施例を挙げて本発明を更に説明するが、本発明はこれにより何ら制限されるものではない。
【００１８】
パーフルオロポリエーテル油に、ポリテトラフルオロエチレン粒子を配合したベースグリースに、亜硝酸ナトリウムを０〜２．５質量％の範囲で、０．５質量％刻みで添加して試験グリースを調製した。この試験グリースを、シール付き６２０２軸受に１．５ｇ封入して試験軸受とした。
【００１９】
そして、使用時の被水による水侵入を想定して、試験軸受の内部に０．１５ｇの水を注入し、撹拌のために一定時間回転させた後、４０℃にて１２０時間放置し、再度回転させてそのときの起動トルクを測定した。放置前の起動トルクと、放置後に再度回転させたときの起動トルクとの比（試験後起動トルク比）を求め、亜硝酸ナトリウムの添加量との関係を調べた。
【００２０】
図１に結果を示すが、亜硝酸ナトリウムの添加量が０．５質量％を超えると、試験後起動トルク比が急激に上昇している。
【図１】
2016001012.tif 000003
(57)【要約】【課題】高速ダイオードの逆回復動作時の電流波形をソフト化する。【解決手段】縦方向に電流を流すＰｉＮ型のダイオード構造を有するダイオードにおいて逆バイアスをかけた際に形成される空乏層領域の外側のドリフト層の領域に、キャリアを発生するキャリア残存層（結晶欠陥層）を局所的に配置する。この層によってスイッチング動作時にキャリア（電子）が供給され、これによる電流が流れるため、急激にキャリアが消失せず、逆回復動作時の電流波形をソフト化することができる。ダイオードの裏面にキャリア残存層（結晶欠陥層）を設けないため、Ｖｆを上昇させずに電流波形をソフト化できる。【選択図】図４
2016001670.tif 000002
【特許請求の範囲】
【請求項１】
縦方向に電流を流すＰｉＮ型のダイオード構造を有し、逆バイアスをかけた際に形成される空乏層外側の外周領域（不活性領域）に、キャリアを発生するキャリア残存層（結晶欠陥層）を持つ構造を特徴とする半導体装置。
【請求項２】
前記キャリア残存層（結晶欠陥層）は、チャネルストッパ下のドリフト層内に形成されることを特徴とする、請求項１に記載の半導体装置。
【発明の詳細な説明】
【技術分野】
【０００１】
本発明は、逆回復動作時の電流波形において、ソフトスイッチング特性を有するダイオードに関する。
【背景技術】
【０００２】
近年、高周波整流に用いるスイッチングダイオードの高速化が求められている。ダイオードを高速化するには半導体素子内のキャリアのライフタイムを短く調整して逆回復時間を短くすることが必要であり、キャリアの消滅が急速に行われるようにライフタイムキラーとして働く、金（Ｐｔ）、白金（Ｐｔ）などが導入されることがある。
【先行技術文献】
【特許文献】
【０００３】
【特許文献１】特開平２−１７０４７１号公報  富士電機    号公報
【発明の概要】
【発明が解決しようとする課題】
【０００４】
しかしながら、従来技術でダイオードを高速化した場合、逆回復動作時に逆方向電流が0電流値に近づく際の波形の立ち上がりの勾配（図１の１）が大きくなり（ハード波形）、これによって波形が0電流値に収束する際にリンギングと呼ばれるノイズが発生する問題があった。
【０００５】
本発明は、上記問題点を解決し、逆方向電流の波形の立ち上がりの勾配を小さくする（図２の１参照：ソフト波形）ことを目的とする。
【課題を解決するための手段】
【０００６】
上述の課題を解決するために、本発明は、以下に掲げる構成とした。
本発明の半導体装置は、縦方向に電流を流すＰｉＮ構造のダイオードであり、逆バイアスをかけた際に半導体内部に形成される空乏層領域の外側（不活性領域）の、チャネルストッパ下部のドリフト層の領域に、局所的にキャリアを発生するキャリア残存層（結晶欠陥層）を持つ。
【０００７】
キャリア残存層層（結晶欠陥層）の密度は、８Ｅ１１atom/cm３から５Ｅ１５atom/cm3の間であることを特徴とする。
【０００８】
キャリア残存層の幅（図４Ｗｂ）は、チャネルストッパの幅（図４Ｗａ）より小さいことを特徴とする。これによってチャネルストッパの特性を変化させることなく、逆回復動作時の電流波形をソフト化することができる。
【発明の効果】
【０００９】
本発明によれば、高速ダイオードの逆回復動作時の電流波形をソフト化でき、リンギングを抑制できる。
【図面の簡単な説明】
【００１０】
【図１】従来品のダイオードの逆回復動作時の電流波形である。
【図２】本発明の実施例1に係るダイオードの逆回復動作時の電流波形である。
【図３】従来品のダイオードチップの断面図である。
【図４】本発明の実施例１に係るダイオードチップの断面図である。
【発明を実施するための形態】
【００１１】
以下、本発明の実施の形態となる構造について説明する。
【実施例１】
【００１２】
実施例１に係るダイオードの構造について説明する。図４に示されているように本発明のダイオードは、空乏層領域の外側の外周領域（不活性領域）のドリフト層内部、チャネルストッパ下部に、キャリア残存層（結晶欠陥層）を有している。
【符号の説明】
【００１３】
１、逆回復動作時の逆方向電流の立ち上がりの勾配
２、アノード電極
３、Ｐ＋拡散層
４、Ｎ−拡散層（ドリフト層）
５、Ｎ＋拡散層（裏面コンタクト層）
６、カソード電極
７、ＥＱＲ
８、絶縁膜
９、チャネルストッパ
１０、空乏層
１１、キャリア残存層（結晶欠陥層）
【図１】
2016001670.tif 000003
【図２】
2016001670.tif 000004
【図３】
2016001670.tif 000005
【図４】
2016001670.tif 000006